(57)【要約】【課題】  従来のカバーを分割した構成では、隣接するカバー同士の隙間が変化して段差が生じるために取付け部の調整に手間取ったり、機体から取外したカバーを誤って踏み付ける危険がある。又、脱穀機の左外側から塵埃が漏洩して機体外に流出する等の問題点がある。【解決手段】  脱穀部Ａの外側に立設させた二番揚穀筒１を挟んで前カバー２と後カバー３を設け、該脱穀部Ａの前、後側に設けた縦軸の回動支点Ｐ１、Ｐ２を中心に回動する片開きのカバー構造にし、扱室７と選別部Ｃの左外側に亘って前記後カバー３が装着され、内側に形成した空間５６がファンの吸気口４３と連通して前記左外側面から漏れる塵埃を選別部Ｃに吸引し、機外に拡散する塵埃の防止と開閉操作を行い易くしたカバー開閉装置の提供である。【選択図】  図１
2005229863.tif 000002
【特許請求の範囲】
【請求項１】
機体の進行方向に設けた扱室の下方に選別部を併設し、脱穀部の左外側に二番コンベヤから扱室の始端側に向けて二番揚穀筒を立設させ、その内側に駆動ベルトを配置した脱穀機において、二番揚穀筒（１）を挟んで前記駆動ベルト（６１
）を覆う前カバー（２）と後カバー（３）を設け、脱穀部（Ａ）の前側と後側に設けた縦軸の回動支点（Ｐ１）、（Ｐ２）を中心に片開き自在の構成にしたことを特徴とする脱穀機のカバー開閉装置。
【請求項２】
脱穀部（Ａ）の扱室（７）と選別部（Ｃ）の左外側に亘って前後カバー（２）
、（３）を装着し、該前後カバー（２）、（３）の内側に形成する空間（５６）をファンの吸気口（４３）と連通させたことを特徴とする請求項１に記載した脱穀機のカバー開閉装置。
【発明の詳細な説明】
【技術分野】
【０００１】
本発明は、収穫機に搭載された脱穀機の左外側に分割したベルトカバーを設け
、片開きの構造にしたカバー開閉装置に関するものである。
【背景技術】
【０００２】
大型化する普通形コンバイン等では搭載した脱穀部の左外側が拡張され、各部に伝達する駆動装置を覆うカバーも大きくなって重量物になることから脱着に労力を要し、保持手段が難しくなるためにカバーを分割して小型化するようになった。しかしながら、隣接するカバー同士の隙間が変化して段差を生じたり、輸送中の振動で外れる等の不具合があり、これらを改善する隙間の調節機構を設けて所定の位置に装着したり、取付け部品の精度向上や組立技術で補う等の対抗処置を講じてきた。このような障害に対して脱穀機の左外側に脱着自在の揺動開閉カバーを設け、係脱自在のロックレバーを備えて握り部分を分割して着脱カバーの上に重複させ、振動外れを防止したものがある（例えば特許文献1参照。）。又、扱室に沿って横設したフィードチェンを覆う上カバーを設け、選別各部を駆動するベルトにカバーを装備して、左外側面の安全性を確保するとともに差込み部とロック部を上下に配置させ、一挙にカバーを止着する構成にし、個々の部材を別途の操作で行う取付け手段に比べて組付けを簡素化したものがある（例えば特許文献2参照。）。
【０００３】
前者は普通形のコンバインに装着した実施事例であって、脱穀部の左外側を３分割したカバーで形成し、扱室の横側方を一体化した開閉式カバーにするとともに、選別部の外側を前後に分割した脱着方式の下カバーで構成したものであって
、機体から各カバーを取外す構造にしたために外した後の保管や、誤って踏みつける危険を伴うものである。一方後者は扱室の機体外側に上カバーが設けられ、受網と重合する配置であるもののフィードチェンを介した構成であり、選別部の外側を覆う下カバーと一体化していない自脱型コンバインのカバー構造である。本発明は、扱室と選別部の左外側に亘って前後カバーを装着し、脱穀機の前、後側に縦軸の回動支点を設けて片開きの構成にし、開放時に機体からカバーが離脱しない開閉装置にしたものである。
【０００４】
【特許文献１】特許第３１７４４９５号公報  （第１、３頁、第１、２図）
【特許文献２】実公平７−１５３９３号公報  （第２−３頁、第１、３図）
【発明の開示】
【発明が解決しようとする課題】
【０００５】
従来技術に見られる脱穀部の左外側を覆うカバーの分割構造では、隣接するカバー同士の隙間や表面に段差を生じ易く、取付け部品の調整に手間がかかったり
、開放時に該カバーを機体から取外すために誤って踏み付け変形させる等の危険がある。又、扱室に発生する圧風が上方の横側板から漏洩して機体外に流出する等の不具合がある。このような問題点を解消する手段として、前記脱穀部の左外側に立設させた二番コンベヤを挟んだ前カバーと後カバーを装着し、脱穀部の前
、後側に縦軸の回動支点を設け、片開き自在の構成にするとともに扱室と選別部の左外側に亘って前記前後カバーが配置され、その内側に形成した空間をファンの吸気口に連通させたカバー開閉装置を提供するものである。
【課題を解決するための手段】
【０００６】
分割したカバーの段差や傾きを生じない取付け構造にし、脱着操作に伴なってカバーを機体から取外す従来方式に見られる変形の危険を阻止するとともに、扱室の側方までカバーを拡張させて、塵埃の漏洩を減少させたカバー開閉装置にしたものである。
【０００７】
機体の進行方向に設けた扱室の下方に選別部を併設し、脱穀部の左外側に二番コンベヤから扱室の始端側に向けて二番揚穀筒を立設させ、その内側に駆動ベルトを配置した脱穀機において、二番揚穀筒を挟んで前記駆動ベルトを覆う前カバーと後カバーを設け、脱穀部の前側と後側に設けた縦軸の回動支点を中心に片開き自在の構成にし、機体からカバーを取外さず所定位置に正確に装着できる構成にした。
【０００８】
脱穀部の扱室と選別部の左外側に亘って前後カバーを装着し、該前後カバーの内側に形成する空間をファンの吸気口と連通させ、選別部と扱室の左外側に漏洩する塵埃を該カバーを介して唐箕ファンに吸引する構成にした。
【発明の効果】
【０００９】
本発明は、大型化したカバーの取扱いが難しくなることから分割構造にして小型化するものの、取付け部品数が増加して相互に隣接する該カバー２、３の段差や隙間が不揃いになる。これらの不具合を解消するために、二番揚穀筒１を挟むように前記前後カバー２、３を設け、隣接するカバー同士の接合端面４１が向合う従来技術の分割構造を改めるとともに、取付け部材を簡素化させた片開きのカバー構造にしたものである。又、駆動ベルト６１が巻回する選別部Ｃの左外側と
、風圧の高い扱室７の左外側に亘って後カバー３が装着され、該扱室７から漏洩する塵埃を機外に拡散させずに、前記前後カバー２、３の内側に形成した空間５６を介して唐箕ファン１０に吸塵し、機体の側方に発生する粉塵立ちを減少させる効果がある。
【００１０】
又、脱穀部Ａの前、後側に縦軸の回動支点Ｐ１、Ｐ２を設けた片開き自在のカバー構造にし、二番揚穀筒１を挟むように設置した前後カバー２、３のロック装置８を該二番揚穀筒１に沿って設けると、左外側の中央付近に該ロック装置８を集中配置させることになるので、両カバー２、３のロック解除をする操作が身体を移動せずに同じ場所で実施できる利点がある。
【発明を実施するための最良の形態】
【００１１】
隣接するカバー２、３の接合端面４１が向合う構成を回避させるために、該接合端面４１に二番揚穀筒１や脱穀枠等の固定部材を介在させて接続する構造に改め、カバー同士が向合う接合端面４１に発生する段差や隙間の変化を防止し、装着誤差が生じても前記カバー２、３の外観を損なわないカバー構造にするとともに、取付け部材の減少に伴う構造の簡素化と該後カバー３の拡張によって、脱穀部Ａの左外側から漏洩する粉塵を防止させる機能を付加させたカバーを実現したものであり、前記した詳細の内容を以下の実施例で説明する。
【実施例】
【００１２】
本発明を普通形コンバインに搭載した脱穀機で説明すると、図１はコンバインの右側面図であって図５の要部を断面した正面図を併用してその構造の概要を説明すると、左右一対のクローラ走行装置１５に支持された機台１６上に脱穀部Ａを搭載し、前方に昇降自在の刈取部Ｂを装着して刈高さ調節を行ないながら分草板１７と、引起しリール１８で浮揚させた穀稈を刈刃２０で切断し、扱胴２１の前面と連結するフィーダハウス２２に収集させ、内設したスラットコンベヤ２３によって該扱胴２１の始端側に供給し、その下半周を包囲した受網６を装着した扱室７で脱粒と処理を行い、終端側に移動した塵埃を下向きに開放する排塵口２５から選別部Ｃの後方に排塵させた脱粒処理の経路にしたものである。
【００１３】
一方受網６から漏下した扱卸物を揺動選別体２７上の始端側で一旦受け止め、後方に移動させながら揺動選別を行った後に、風選室２８で主に単粒化した穀粒を分離して一番コンベヤ３０に集穀する経路と、枝梗付着粒と少量の単粒が混合する二番物を後方に配置したチャフシーブ後３１で再選別し、二番コンベヤ３２で搬出させて機体の外側に斜設した二番揚穀筒１で扱室７の始端側に還元する搬送経路に分別してあり、藁屑等の塵埃は前記選別部Ｃの前方に設けた唐箕ファン１０の選別風と、並設した補助ファン１１でグレンシーブ１２上を送風する選別風で塵埃を吹き飛ばし、前記扱室７の後方下に開口した排風口２５から排風する構成である。
【００１４】
図５の正面図に示すように、一番コンベヤ３０の終端に連結した揚穀コンベヤ１３に選別後の穀粒を受継ぎ、脱穀部Ａに並設したグレンタンク３５に一時貯留するものであり、集積した穀粒の排出を図１の側面図に示す如く機体の後方に立設させた縦オーガ３６で揚穀し、排出オーガ３７の基部に受継がせて任意方向の旋回と、昇降を行い収納容器や運搬車に穀粒を排出するものである。
【００１５】
このように構成した脱穀部に装備するカバーについて、図２の要部を拡大した平面図と図３に示す左外側の断面図に図１の側面図を併用して説明すると、脱穀部Ａの左外側を覆うカバーの配置は、脱穀部Ａの左外側に二番コンベヤ３２から扱室７の始端側に向けて二番揚穀筒１を立設させ、内側に配置した駆動ベルト６１を覆うように該二番揚穀筒１を挟んで前カバー２と後カバー３を設けたものであって、その開閉構造を脱穀部Ａの前、後側に設けた縦軸の回動支点Ｐ１、Ｐ２を中心に回動する片開き方式にして前記脱穀部Ａの左外側の全面を覆い、相互に向合う接合端面４１に連通口４２を開設して内側に空間５６を形成させ、唐箕ファン１０と補助ファン１１の吸気口４３に連通するカバー構造にしたものである。
【００１６】
片開き方式にしたカバーの構成は、脱穀部Ａの前、後側にカバーの垂直面４５を対設させて回動板４６を固設し、前後カバー２、３を固定するロック装置８を二番揚穀筒１に沿った近傍に配置させ、形状の大きい後カバー３に２箇所、前カバー２に１箇所設けた事例であって、選別側板４８から突設するキャッチ軸５０に前記ロック装置８のフック５１が係合し、両カバーを所定位置に保持するとともに前記二番揚穀筒１を介してカバー同士の接合端面４１を向い合せ、カバー間の段差や隙間の変化が発生しない開閉カバーの構成にしたものである。尚、７７は左外側面から延設して前記前後カバー２、３の内側に接当させカバーの高さを保持する当板である。
【００１７】
又、後カバー３の上端５を側面視で受網６を内設した扱室７と重合させ、前カバー２に接続する前記後カバー３で該扱室７の左外側と唐箕ファン１０を空間５６で連通させ、扱胴２１の回転によって生じた風圧が側壁３３の隙間から漏洩して粉塵立ちになっても、吸気口４３に連通した前記空間５６によって唐箕ファン１０から選別部Ｃに吸入する構成にしてある。このような風路の構造は、機体の外方に塵埃が拡散することを防止するとともに、前記前後カバー２、３の内側に付着する塵埃の状態が開閉操作毎に視認でき、異状を察知し易くしたカバーの開閉装置である。
【００１８】
図３は、選別部の左外側を拡大した断面図であって、図２の平面図と図４のカバーを内側から見た斜視図を併用して唐箕ファンと補助ファンに送給する吸入風について説明すると、箱状にした前後カバー２、３の底面５２に給風窓５３を開口しメッシュ板５５を添設してあり、吸気口４３に最も接近した該底面５２付近では矢印イ方向の給風速度が高くなり、浮遊する藁屑やクローラ走行装置１５が巻上げた茎稈等を吸込み選別不良を招くが、該メッシュ板５５を設けたことによって前記した給風速度の高まりが緩和され、選別部Ｃの全長に渡って装着した該メッシュ板５５から分散して吸入するようにしたカバー構造である。尚、後カバー３側のメッシュ板５５を省略して給風窓５３を開放状態にしても、吸気口４３から離反しているために粗大な塵埃が吸入されず選別不良を生じない特性がある。
【００１９】
このような二番揚穀筒１を介在させた前後カバー２、３の内側に形成した空間５６には、図２の平面図と図３の拡大断面図に示すように唐箕プーリ５７とファンプーリ５８、コンベヤプーリ６０等に巻回する駆動ベルト６１が装着され、異物の侵入や点検整備をする作業者の安全性を確保するとともに、刈取部Ｂを分離して路上走行する場合においても、カバーの外面から剛性の高い二番揚穀筒１が突出したカバー構造になっているので、障害物に接触しても前記カバー２、３の損傷が免れる構成になっている。
【００２０】
図６はカバーを装着したロック装置の側面図であって、図７のフック部を断面した平面図を併用してカバーの脱着構造を説明すると、前後カバー２、３の表面からロック装置８のボックス５２を内方向に嵌着させ、フック５１の左右に支軸６３を延設してボックス壁面６５に嵌入させ、これを回動中心にして選別側板４８から突出させたコの字形のキャッチ軸５０に係合させるものであり、フック溝６６が該キャッチ軸５０に常時噛合する方向に圧縮バネ６７で付勢したロック構造である。又、取外し時はフック板６８の隙間に指先を入れて矢印ハの方向に引揚げてロックを解除し、図２の平面図に示す矢印ロの方向に各カバーを開口させる片開きのロック装置である。
【００２１】
上記したように前後カバー２、３が片開きの構成であるために、ロック装置８の取付け方向が垂直になり、対設するキャッチ軸５０も同様の垂直方向に設置したものである。このように縦軸方向にした該キャッチ軸５０の取付け誤差がカバーの段差や傾きの原因になるために、高さと上下方向の調節が可能な取付座７０を介在させてあり、コの字形にした該キャッチ軸５０の両端にネジ部７１を設けて、前記取付座７０をナットで挟着した高さ調節を行い、選別側板４８に螺着する側に長穴７２を設けて上下方向の調節をするキャッチャー構造にしてある。
【００２２】
図８は、カバーの別途実施例を示す側面図であって、図９の断面図を併用して構造の概要を説明すると、扱胴カバー７４が接合する脱穀上枠７３まで後カバー３を拡張し、前述した扱室７の側壁３３を廃止した構成であって、該脱穀上枠７３と選別枠７６との間に装着した該側壁３３に相当する覆蓋７５を前記カバー３の内側に一体形成して、片開きカバーの開閉操作に伴い受網６や揺動選別体２７の上方が開放され、選別異状や網目の詰まり等が視認できるようにした別途の実施例である。
【００２３】
このような片開きのカバー開閉装置にしたので、大きくなったカバーの脱着操作においても労力を掛けずに容易に開閉が行え、分割によって軽量化したカバー２、３が向合う接合端面４１に二番揚穀筒１を介在させた構成にしたので、カバーの接続部に生じる隙間の不揃いや変形が解消され、しかも、扱室７の左外側から漏洩する粉塵等が前記カバー２、３の内側に形成した空間５６を介し、選別部Ｃに吸引される防塵機能を付加する等の効果がある。
【産業上の利用可能性】
【００２４】
大型化するカバーの脱着を片開きの開閉構造にして操作労力を軽減し、分割して小型化したカバーの接合端面を機体枠や別途の構造物と対向させ、カバー間に生じる不揃いを防止できる構成にしたので、脱着頻度の高いベルトカバーを多分割した大型の農作業機に適用できる。
【図面の簡単な説明】
【００２５】
【図１】コンバインの右側面図である。
【図２】要部を拡大した平面図である。
【図３】選別部の左外側を拡大した断面図である。
【図４】内側からカバーを見た斜視図である。
【図５】脱穀部を断面した正面図である。
【図６】カバーを固定するロック装置の側面図である。
【図７】フック部を断面した平面図である。
【図８】カバーの別途実施例を示す側面図である。
【図９】カバーの別途実施例を示す断面図である。
【符号の説明】
【００２６】
Ａ・・脱穀部          Ｃ・・選別部            Ｐ・・回動支点
１・・二番揚穀筒      ２・・前カバー          ３・・後カバー
７・・扱室            ８・・ロック装置      １０・・唐箕ファン
１１・・補助ファン    ２７・・揺動選別体      ３３・・側壁
４１・・接合端面      ４２・・連通口          ４３・・吸気口
４６・・回動板        ４８・・選別側板        ５０・・キャッチ軸
５１・・フック        ５６・・空間            ６１・・駆動ベルト
７０・・取付座
矢印イ・・吸気風の方向
矢印ロ・・片開きカバーの開閉方向
【図１】
2005229863.tif 000003
【図２】
2005229863.tif 000004
【図３】
2005229863.tif 000005
【図４】
2005229863.tif 000006
【図５】
2005229863.tif 000007
【図６】
2005229863.tif 000008
【図７】
2005229863.tif 000009
【図８】
2005229863.tif 000010
【図９】
2005229863.tif 000011